(57)【要約】本発明は、整列されたいくつかの磁石（３）を含み、磁性粒子を分離するための装置（２）に関する。いくつかの磁石（３）が逆向きに配置されている。この配置は、隣接する磁石の収集領域における磁気の干渉を減少させる。
2007520331.tif 000002
【特許請求の範囲】
【請求項１】
磁性粒子を分離するための装置（２）であって、整列された複数の磁石（３）を含み、その内のいくつかの磁石（３）が逆向きに配置されていることを特徴とする分離装置。
【請求項２】
前記磁石（３）の約半分が逆向きに配置されていることを特徴とする請求項１に記載の分離装置。
【請求項３】
一つ置きの磁石（３）が逆向きに配置されていることを特徴とする請求項２に記載の分離装置。
【請求項４】
前記磁石（３）は、複数個の磁石を有するいくつかの列に配置されていることを特徴とする請求項１ないし３のいずれかに記載の分離装置。
【請求項５】
前記磁石（５）は、単一の部品（２）を形成するために結合されていることを特徴とする請求項１ないし４のいずれかに記載の分離装置。
【請求項６】
前記磁石（３）は、永久磁石からなり、その長さ対直径の比が少なくとも２対１、あるいは少なくとも５対１であることを特徴とする請求項１ないし５のいずれかに記載の分離装置。
【請求項７】
磁性粒子を分離するための装置（１）であって、整列されたいくつかの磁石（３）を含む垂直方向に移動可能な分離装置（２）を含み、その内のいくつかの磁石（３）が逆向きに配置されていることを特徴とする分離装置。
【請求項８】
それぞれの磁石（３）を挿入するためのウエル形状のケーシング（８）を含むことを特徴とする請求項７に記載の分離装置。
【請求項９】
前記ケーシング（８）は、単一の部品（７）を形成するために結合されていることを特徴とする請求項８に記載の分離装置。
【発明の詳細な説明】
【技術分野】
【０００１】
本発明は、磁性粒子を分離するための技術、または、その分離に用いられる装置を対象とした技術に関する。本発明は、磁性粒子を含む液体混合物から粒子を分離するためのさまざまな化学的方法に応用することができる。
【背景技術】
【０００２】
磁性粒子は、固相状態の表面で反発力が起こることが可能となるさまざまな方法において用いられる。粒子は、通常、付与された第二の物質に対して特異反応を起こす物質でコーティングされている。これが混合物に含まれている第二の物質の分離を可能にしている。
【０００３】
粒子は、通常、反応後に反応混合物から分離される必要がある。この分離は、通常、容器から反応媒体を取り除くことにより、または容器内の粒子を取り除くことによりなされてきた。
【０００４】
国際特許出願ＷＯ９４／１８５６５には、容器から粒子を取り除くことによって粒子を分離するための方法と装置が開示されている。この分離は、細長いリムーバーによって行なわれ、リムーバーは、ケーシング内に配置され、長手方向に移動可能な磁石を含んでいる。リムーバーは、下方位置にある磁石を用いて混合物内に導かれるので、粒子はリムーバーの表面に付着し、混合物から分離される。それに反して、磁石は高い位置に引き上げられるので、粒子がリムーバーの表面から分離される。装置は、複数のサンプルを同時処理するために、並列処理で作動する複数のリムーバーを含んでいる。国際特許出願ＷＯ９６／１２９５８には，類似するリムーバーが開示されており、そのリムーバーの磁石は、粒子が下方に位置する磁極にのみ集められるような長さを有している。このような分離技術は、フィンランド国のサーモ エレクトロン オイで開発された分離装置「ＫｉｎｇＦｉｓｈｅｒ」（登録商標）において既に商業的に実施されている。これらの装置は、並列に配置された複数のリムーバーを含み、それらの磁石は、同一方向に配向されている。すなわち、常時、同じ磁極が同一方向に配向されている。
【発明の開示】
【課題を解決するための手段】
【０００５】
本願請求項１に係る粒子分離装置が、今、発明された。他の請求項は本発明のいくつかの実施形態を定める。
【０００６】
本発明によれば、分離装置は、並列に整列された複数の磁石を含んでいる。いくつかの磁石は、逆方向に配置されている。この配置は、隣接する磁石の分離領域において磁石の作用を減少させる。
【０００７】
分離装置に含まれる磁石の数が多くなればなるほど、ますます本発明は有益なものとなる。
【発明を実施するための最良の形態】
【０００８】
本発明に係る分離装置は、実質上、並列に整列された複数の磁石を含み、その多くが反対向きに配置されている。すなわち、少なくともひとつの磁石のＮ極が上方に配向され、少なくとももう一つの磁石のＮ極が下方に配向されている。従って、例えば、磁石の約半分が逆向きに配向され、とりわけ、一つ置きに逆向きに配向されている。特に、磁石はマトリクス状に配置された複数の磁石列を含む。これは、例えば、全列の磁石において、特に、四角形に形成されていないマトリクスの場合の短い列が、全て同じ方向に配向される配置を可能にしている。これに限定されず、さまざまな相違する組合わせも考えられる。
【０００９】
本発明は、近接する磁石の収集領域からの粒子収集力をより少なくさせる磁石の利点を用いる。特に、分離する容器の側壁に付着する粒子を減少させる。実際、発明者は、同様に配向された磁石を形成している領域は互いに反発するので、境界域の磁石の磁場は、中央領域にある磁石からの反発作用によって中心領域における磁石の影響をなくしてマトリクス状に配置された磁石の境界領域の方に僅かに傾いているということを発見した。傾いた磁場の磁力線は、近接容器に作用する傾向にあり、このため容器の壁に、近接する容器の粒子の一部が結合する。これらの粒子は、この容器に対して特定の磁石によって収集されない虞があり、このため粒子は収集されないままウエル（Well）内に残る。本発明に従って磁石が逆方向に配置されているため、磁気領域は磁石の間に固定される。磁気領域は局所的に固定されるので、磁石は広範囲に及ぶ反発作用を起さず、収集は磁石にある容器に局所的に形成される。
【００１０】
本発明は、その他、部分的に全く異なった利点も提供する。先ず最初の利点として、外部障害要因による作用を減少させることができる。マトリクス状に配置された磁石の外側の磁気的材料（トラック、モータ、ボックス構造）は、磁石によって生成された磁界の傾斜に作動する傾向がある。反対向きに配向された磁石の磁界は磁石の間に固定され、その結果それらの干渉は減少することになる。第２の利点として、弱い磁界が分離装置の外部に作用する。これにより他の装置への干渉をいくらか減少させている。これはまた運送中の保護を容易にしている。例えば、空輸は、空路運送によって発生する磁界により特定の（具体的な）上限値を受ける。磁界は、例えば、ペースメーカーのような治療装置に影響を起し得る。第３の利点として、磁石は、磁極のような反発力による作用よりも、交互に変わる磁極を有する隣接磁石の自由極の吸着による作用を受けて、より少ない程度に曲げられる。
【００１１】
磁石は、通常、磁気ヘッドと言われる一つの部品の中に組み込まれている。磁気ヘッドは、分離装置において垂直方向へ移動可能に配置されている。
【００１２】
磁気ヘッドは、それぞれ移動可能なケーシングを有している。複数のケーシングは、装置内に一部品として配置されるように結合され、磁気ヘッドとして垂直方向に移動可能となる。
【００１３】
磁石は、とりわけ分離装置の先端部に粒子を捕集できるように延長されている（国際特許出願ＷＯ９６／１２９５９を参照）。磁石の厚さ（太さ）に対する長さの比は、例えば、少なくとも約２対１、あるいは少なくとも５対１に設定されている。粒子が捕集されている間、磁石の上側に位置する磁極がなるべく混合物の上方に位置するように保たれることが望ましい。しかしながら、従来の短い磁石も使用することができる。分離器の先端部は鋭く、凸状になっていることが好ましい（国際特許出願ＷＯ９４／１８５６４、ＷＯ９４／１８５６５、ＷＯ９６／１２９５９参照）。表面張力を減少させるための物質が粒子を含む混合物内に混ざっており、これにより分離器への粒子の付着が促進されている（国際特許出願ＷＯ００／４２４３２参照）。
【００１４】
分離された磁性粒子は、特に、微粒子となる。最大粒子のサイズは、例えば、５０μｍ、あるいは１０μｍとなる。最小粒子のサイズは、例えば、０．０５μｍとなる。標準的粒子のサイズは、０．５〜１０μｍ程度となる。
【００１５】
粒子は、通常、サンプルの成分に対して特有の反応を有する物質で覆われている。
【００１６】
本発明に係るいくつかの実施の形態を以下に詳細に開示する。
【００１７】
分離装置１は、９ｍｍ配列に並ぶ８×１２のウエルからなるマイクロろ過板型のサンプル処理をするために使用される。
【００１８】
その分離装置は、等間隔に分配されるプレートとして９６個の細長い永久磁石３（長さ／厚さ（太さ）が約１０：１）を含む磁気ヘッド２を有し、その永久磁石の上端部は支持板によって結合されている。磁石は、高い残留磁気と保磁力を有する材質（例えば、ＮｅＦｅＢ）から形成されることが望ましい。磁気ヘッドは、つり上げ装置４に固定され、垂直方向に移動可能である。磁気ヘッドの下側の同じ位置に支持ケーシング５が設けられ、支持ケーシングにはそれぞれの磁石の位置に対応して穴が設けられている。支持ケーシング５は、垂直方向へ移動可能な状態でつり上げ装置６に結合されている。くし型のケーシング７は、支持ケーシング５上に配置され、このくしの部分はそれぞれの磁石を挿入するためのケーシング８を含んでいる。ケーシング８の下端部は、凹型の表面からなる円錐状に加工された分離領域を有し、その中央部は鋭い先端部になっている。
【００１９】
その分離装置は、サンプル板８が配置される回転トレイ９を含んでいる。トレイの回転により、所望のプレートが磁気ヘッド２の下側の処理位置に配置される。このプレートのウエルは、分離時間になると磁性粒子が蓄積される。ウエルから粒子を移動することが要求されると、その磁気ヘッド２がくし型のケーシング７内に降ろされ、これらの２つはウエルの中にいっしょに挿入される。ウエル内の粒子は、ケーシング８の分離領域に付着する。この後、くし型のケーシング７と磁気ヘッド２がいっしょにつり上げられる。粒子が分離されると、くし型のケーシングと磁気ヘッドはいっしょにウエルの中に降ろされ、この後、先ず磁気ヘッド２が最初につり上げられ、続いてくし型のケーシング７がつり上げられる。粒子が移動し、そして分離される両方の段階において、くし型のケーシングは多数回の往復運動を実行する（国際特許出願ＷＯ９４／１８５６５参照）。図１に示すように、処理ステーションは比較的高いウエルを有したプレートを含み、このプレートは、特に分離反応を行なうために使用されている。勿論、低いウエルを有したプレートを使用することも可能であり、そのケーシングはより短くすることができる。
【００２０】
磁気ヘッド２の磁石３は、反対方向に配向されたいくつかの磁石が配置されている。図４から９に相違する配列を示す。磁石ヘッドのマトリクスは、マイクロプレートに対応する８個の水平方向の列（ＡからＨ）と１２個の垂直方向の列（１から１２）から構成されている。
【００２１】
図４に示すように、磁石が一つ置きに逆方向に配置されている。
【００２２】
図５及び図６に示すように、磁石は、同じ方向に配置された短い磁石列からなる行方向に関して逆に配置され、同じ方向に配置された短い磁石列でできている。
【００２３】
図７に示すように、比較的長い横の列が一つ置きに極方向を交互にした磁石を含み、その中間部分の磁石が行方向に関し極を交互にして配置され、短い列の磁石が同じ方向に配置されている。
【００２４】
図８に示すように、横の列の磁石が同じ向きに方向付けられており、残りの列の磁石が反対向きに方向付けられている。
【００２５】
図９に示される磁石は、円周状に極を交互にして配置されている。
【図面の簡単な説明】
【００２６】
本発明の記述に関係する添付図面を以下に示す。
【図１】本発明に係る、一連の分離装置の一形態を示す図である。
【図２】分離装置を構成する分離器と、分離器に使用されるくし型のケーシング及びサンプル板とを示す図である。
【図３】くし型ケーシングとサンプル板が挿入配置された分離器の断面図である。
【図４】逆方向に配置された磁石の各種態様を示す図である。
【図５】逆方向に配置された磁石の各種態様を示す図である。
【図６】逆方向に配置された磁石の各種態様を示す図である。
【図７】逆方向に配置された磁石の各種態様を示す図である。
【図８】逆方向に配置された磁石の各種態様を示す図である。
【図９】逆方向に配置された磁石の各種態様を示す図である。
【図１】
2007520331.tif 000003
【図２】
2007520331.tif 000004
【図３】
2007520331.tif 000005
【図４】
2007520331.tif 000006
【図５】
2007520331.tif 000007
【図６】
2007520331.tif 000008
【図７】
2007520331.tif 000009
【図８】
2007520331.tif 000010
【図９】
2007520331.tif 000011
【国際調査報告】
2007520331.tif 000012
2007520331.tif 000013
2007520331.tif 000014